(57)【要約】【課題】内容物放出用ポンプ機構の下流ゴム弁とシリンダ内周面とのシール状態の安定化、貯留空間域への内容物吸上げ力の強化、上流ボール弁の確実な閉塞化を図る。【解決手段】下流ゴム弁４は、内周面が下ピストン３の外周面に当接した内側の直立筒状部４ａと、当該直立筒状部の外側に形成されてシリンダ５の内周面とのシール作用を呈する逆スカート部４ｆ，スカート部４ｇと、を備えている。直立筒状部４ａの上端側部分４ｂは、その内外周面部が上ピストン２および下ピストン３に挟持されて内容物放出操作の際にも変形しないように設定される。上端側部分４ｂの下に続く部分に変形作用部分４ｃが形成されている。シリンダ内部に、貯留空間域Ｂの容量低減機能を有する円柱状部７ａや、上流ボール弁６を押える弾性片部７ｇなどからなる柱状部材７を設けている。【選択図】図１
2014221664.tif 000002
【特許請求の範囲】
【請求項１】
容器本体に取り付けられるシリンダに配された上流弁と、内容物放出操作に連動するピストンへの弁作用を呈する形で当該シリンダの内部に配された蓄圧タイプの下流ゴム弁と、の間に形成される貯留空間域の内容物が、当該ピストンの移動にともなう当該上流弁および当該下流ゴム弁の開閉作用に基づいて外部空間に放出される内容物放出用ポンプ機構において、
前記下流ゴム弁は、
内周面が前記ピストンの外周面に当接した直立筒状部と、
当該直立筒状部の外側に形成されて前記シリンダの内周面とのシール作用を呈するシール作用部と、を備え、
前記直立筒状部は、
その上端側部分であって、内外周面部が前記ピストンに挟持されて前記内容物放出操作の際にも変形しない被挟持部分と、
当該被挟持部分に続く変形作用部分と、を少なくとも有している、
ことを特徴とする内容物放出用ポンプ機構。
【請求項２】
前記直立筒状部は、
前記内周面の上下方向部分の全体が前記ピストンの外周面に当接している、
ことを特徴とする請求項１記載の内容物放出用ポンプ機構。
【請求項３】
前記直立筒状部は、
前記変形作用部分の下に連続形成されて前記シール作用部の始まり部分となる連続基部を有し、
前記シール作用部は、
前記連続基部から外上方に延びる逆スカート部と、
前記連続基部から外下方に延びるスカート部と、からなる、
ことを特徴とする請求項１または２に記載の内容物放出用ポンプ機構。
【請求項４】
前記貯留空間域は、
その容量を減らすためのスペース調整作用部を有している、
ことを特徴とする請求項１乃至４のいずれかに記載の内容物放出用ポンプ機構。
【請求項５】
前記シリンダは、
エアレス作動用の可動底板と、
当該可動底板への空気流入用の孔部が形成された底蓋と、を有している、
ことを特徴とする請求項１乃至４のいずれかに記載の内容物放出用ポンプ機構。
【請求項６】
請求項１乃至５のいずれかに記載の内容物放出用ポンプ機構を備え、かつ、容器本体内部に内容物を収容した、
ことを特徴とするポンプ式製品。
【発明の詳細な説明】
【技術分野】
【０００１】
本発明は、容器本体と一体のシリンダの内部に配設された下方の上流弁および上方の下流ゴム弁の開閉作用により、当該上流弁と当該下流ゴム弁との間の貯留空間域の内容物を外部空間に放出する内容物放出用ポンプ機構に関する。
【０００２】
特に、例えば次の各特徴を備えた内容物放出用ポンプ機構に関する。
(11)下流ゴム弁を後述の特定形状などからなる蓄圧タイプのゴム弁で形成して、押下げ操作時の下流ゴム弁内側の直立筒状部（ピストン当接部）の変形にともなう、ゴム弁外側の上方逆スカート部および下方スカート部（シリンダ内周面とのシール作用部）それぞれの形状変化を抑える。すなわち蓄圧タイプの下流ゴム弁とそれを案内するシリンダ内周面との間のシール作用の安定化を図る。
(12)貯留空間域にスペース調整作用部を設けることによりの当該貯留空間域の実容量を減らして、操作ボタンと一体のピストンが内容物放出用の押下げ操作後にその静止モード位置へ復帰するときの、当該貯留空間域の減圧比を高め、これにより容器本体内部（上流弁までの収容空間域）から当該貯留空間域への内容物吸上げ力を高める。
(13)上流弁としてのボール弁を、その作用相手である内容物流入部の方へ弾性的に付勢して、内容物の流入作動時以外の当該内容物流入部を確実に閉塞する。
【０００３】
本発明の適用対象は、可動底板を備えたエアレス仕様の内容物放出用ポンプ機構や、貯留空間域への吸上げパイプを備えた（収容空間域への）外気流入仕様の内容物放出用ポンプ機構である。
【０００４】
ただ、以下の記載では単なる説明の便宜上、必要に応じてエアレス仕様の内容物放出用ポンプ機構を前提とする。
【０００５】
適用対象の内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００６】
本件出願人は、上記(12)，(13)の特徴を併せ備えたエアレス仕様の内容物放出用ポンプ機構を提案済みである（特許文献１参照）。
【０００７】
この内容物放出用ポンプ機構は、静止モードへの復帰作動時における上流ボール弁から蓄圧タイプの下流ゴム弁までの貯留空間域への内容物吸上げ力を高め、かつ、上流ボール弁をその作用相手の方へ弾性的に付勢して当該貯留空間域への内容物流入部がその作動時以外では確実に閉塞される、といった利点を有している。
【先行技術文献】
【特許文献】
【０００８】
【特許文献１】国際公開第２００７／１１６４５７号
【発明の概要】
【発明が解決しようとする課題】
【０００９】
従来の上記内容物放出用ポンプ機構は上述の利点を備えたものである。
【００１０】
ただ、蓄圧タイプの下流ゴム弁（内側の筒状部＋外側のシール作用部）の内側筒状部とそれが当接するピストンとの関連形状が、内容物放出操作に基づくピストン下動時に、本来の上下方向（当該直立筒状部の軸方向）へ変形するのみならず、当該軸方向に対していわば左右へ回動する方向にも変位・変形しえる態様になっている。
【００１１】
そのため、従来の上記内容物放出用ポンプ機構は、ピストンなどを収容するシリンダの内周面に密接したシール作用部（上方の逆スカート部および下方のスカート部）がこの回動方向にも変位する。
【００１２】
この変位により、静止モードから内容物放出操作への移行、またその逆の移行の際に、蓄圧タイプの下流ゴム弁の逆スカート部およびスカート部と、シリンダ内周面との密接状態が変化する可能性を捨象できない点で、改善の余地を残していた。
【００１３】
本発明では、この改善の余地に対処すべく、内側の筒状部、およびこれに連続する外側のシール作用部（上方の逆スカート部および下方のスカート部）からなる蓄圧タイプの下流ゴム弁として、
当該筒状部が、
ピストン外周面に当接する直立形状の筒状部であって、
かつ、内外周面部がピストンに挟持されて内容物放出操作の際にも変形しない上端側の被挟持部分と、当該被挟持部分に続く変形作用部分と、を少なくとも含む形で構成された、
蓄圧タイプのゴム弁を用いている。
【００１４】
すなわち、この上端側の被挟持部分およびその下側の変形作用部分を備えた蓄圧タイプの（上記貯留空間域の）下流ゴム弁を用いることにより、静止モードから内容物放出操作への移行、またその逆の移行の際における、当該下流ゴム弁のシール作用部（逆スカート部，スカート部）の変形を防止して、当該シール作用部とシリンダ内周面とのシール状態の安定化を図ること目的とする。
【００１５】
また、上記貯留空間域の内部にその容積を減らすためのスペース調整作用部を設けて、操作ボタンと一体のピストンが内容物放出用の押下げ操作後に静止モード位置まで復帰するときの当該貯留空間域の減圧比を高め、これにより上記シール状態の安定化との協働作用に基づく一層の内容物吸上げ力強化を図ることを目的とする。
【００１６】
この内容物吸上げ力強化の意味合いは、エアレス仕様（作動）の内容物放出用ポンプ機構において特に大きい。
【００１７】
それは、容器本体内周面に当接した状態で上方向（上流弁までの収容空間域の容積を小さくする方向）に移動する可動底板を有して、もともと上流弁を介した当該収容空間域から貯留空間域への大きな内容物吸上げ力が要求されるからである。
【００１８】
また、上流弁として用いられるボール弁を、その作用相手である内容物流入部の方へ弾性的に付勢して、内容物の流入作動時以外における当該内容物流入部の確実な閉状態シフト化を図ることを目的とする。
【課題を解決するための手段】
【００１９】
本発明はこれらの課題を次のようにして解決する。
（１）容器本体（例えば後述の容器本体９）に取り付けられるシリンダ（例えば後述のシリンダ５）に配された上流弁（例えば後述の上流ボール弁６）と、内容物放出操作に連動するピストン（例えば後述の下ピストン３）への弁作用を呈する形で当該シリンダの内部に配された蓄圧タイプの下流ゴム弁（例えば後述の下流ゴム弁４）と、の間に形成される貯留空間域（例えば後述の貯留空間域Ｂ）の内容物が、当該ピストンの移動にともなう当該上流弁および当該下流ゴム弁の開閉作用に基づいて外部空間に放出される内容物放出用ポンプ機構において、
前記下流ゴム弁は、
内周面が前記ピストン（例えば後述の下ピストン３）の外周面に当接した直立筒状部（例えば後述の直立筒状部４ａ）と、
当該直立筒状部の外側に形成されて前記シリンダの内周面とのシール作用を呈するシール作用部（例えば後述の逆スカート部４ｆ，スカート部４ｇ）と、を備え、
前記直立筒状部は、
その上端側部分であって、内外周面部が前記ピストンに挟持されて前記内容物放出操作の際にも変形しない被挟持部分（例えば後述の被挟持部分４ｂ）と、
当該被挟持部分に続く変形作用部分（例えば後述の変形作用部分４ｃ）と、を少なくとも有している、
ものを用いる。
（２）上記（１）において、
前記直立筒状部は、
前記内周面の上下方向部分の全体が前記ピストンの外周面に当接している、
ものを用いる。
（３）上記（１），（２）において、
前記直立筒状部は、
前記変形作用部分の下に連続形成されて前記シール作用部の始まり部分となる連続基部（例えば後述の連続基部４ｄ）を有し、
前記シール作用部は、
前記連続基部から外上方に延びる逆スカート部（例えば後述の逆スカート部４ｆ）と、
前記連続基部から外下方に延びるスカート部（例えば後述のスカート部４ｇ）と、からなる、
ものを用いる。
（４）上記（１），（２），（３）において、
前記貯留空間域は、
その容量を減らすためのスペース調整作用部（例えば後述の柱状部材７）を有している、
ものを用いる。
（５）上記（１），（２），（３），（４）において、
前記シリンダは、
エアレス作動用の可動底板（例えば後述の可動底板９ｅ）と、
当該可動底板への空気流入用の孔部（例えば後述の孔部９ｃ）が形成された底蓋（例えば後述の底蓋９ｂ）と、を有している、
ものを用いる。
【００２０】
本発明の対象は、このような構成からなるエアレス仕様，収容空間域への外気流入仕様などの内容物放出用ポンプ機構および当該内容物放出用ポンプ機構を備えたポンプ式製品である。
【発明の効果】
【００２１】
本発明は、以上の課題解決手段により、
(21)静止モードから内容物放出操作への移行、またその逆の移行の際における上記貯留空間域の下流ゴム弁のシール作用部（逆スカート部およびスカート部）とシリンダ内周面とのシール状態の安定化を図り、
(22)従前のスペース調整作用部に対応した当該貯留空間域の容積減少にともなう減圧比増加と、上記(21)のシール状態の安定化との協働作用に基づく一層の内容物吸上げ力強化を図り、
(23)当該貯留空間域の上流弁として用いるボール弁をその作用相手である内容物流入部の方へ弾性的に付勢することにより、当該ボール弁が内容物の流入作動時以外は確実に閉塞されて、内容物放出用ポンプ機構の動作の一層の高精度化を図ることできる。
【００２２】
なお、上記(22)の効果は、上述のようにもともと容器本体内部の収容空間域から貯留空間域への大きな内容物吸上げ力が要求されるエアレス仕様の内容物放出用ポンプ機構において顕著といえる。
【図面の簡単な説明】
【００２３】
【図１】静止モードにおけるポンプ式製品全体の断面を示す説明図である。
【図２】図１のシリンダ内部の上流ボール弁から下流ゴム弁までの貯留空間域などを拡大して示す説明図である。
【図３】操作ボタンの押下げ操作に基づいて貯留空間域の下流ゴム弁が開くことにより、当該貯留空間域の内容物がピストンの通路域（外部空間域）へ流出する内容物放出初期状態を示す説明図である。
【図４】操作ボタンが図３よりも更に押し下げられて、下流ゴム弁のスカート部下端面がシリンダ内周面の段部に当接した態様の内容物放出終期状態を示す説明図である。
【図５】操作ボタンの押下げ操作が解除されてそれまでの内容物放出状態から図１の静止モードへ復帰するときの、貯留空間域への内容物吸上げ状態を示す説明図である。
【図６】シリンダ内部の貯留空間域の容量低減機能および上流ボール弁の押さえ機能を併せ備えた柱状部材の斜視状態を示す説明図である。
【発明を実施するための形態】
【００２４】
図１乃至図６を用いて本発明を実施するための形態を説明する。
【００２５】
上述したように本発明の内容物放出用ポンプ機構は、容器本体内部の収容空間域画定用の可動底板を備えたエアレス仕様のポンプ機構、および貯留空間域への吸上げパイプを備えた（収容空間域への）外気流入仕様のポンプ機構のいずれをも対象としている。
【００２６】
この実施形態においては、単なる説明の便宜上、エアレス仕様の内容物放出用ポンプ機構を前提とする。
【００２７】
以下のアルファベット付き参照番号の構成要素（例えば通路部１ａ）は原則として、それぞれアルファベットなし参照番号の構成要素（例えば操作ボタン１）の一部であることを示している。
【００２８】
図１〜図６において、
１は押下げタイプで上下動可能な周知の操作ボタン，
１ａは当該操作ボタンに形成された内容物の通路部，
１ｂは通路部１ａに続く内容物放出用の出力孔部，
をそれぞれ示している。
【００２９】
また、
２は操作ボタン１の通路部１ａの下端側部分に嵌合した筒状の上ピストン（ステム），
２ａは当該上ピストンの内周面周方向に形成されて後述の下ピストン３の上端部分を受ける環凸状部，
２ｂは環凸状部２ａの上方下流側に形成された内容物の通路域，
２ｃは環凸状部２ａの下方上流側に形成された下ピストン嵌合用の下筒状部，
２ｄは下筒状部２ｃの下端開口域に外方への拡大態様で形成されて、後述の下ピストン３の外周面との間に、後述の下流ゴム弁４の直立筒状部４ａの被挟持部分４ｂをいわば固定状態で保持するための下端側大径環状部，
２ｅは下端側大径環状部２ｄの上端側に形成された天井段部， 
をそれぞれ示している。
【００３０】
また、
３は上ピストン２の下筒状部２ｃの小径部分（下端側大径環状部２ｄ以外の部分）に嵌合した下ピストン（ステム），
３ａは当該下ピストンの上側部分を構成して、上ピストン２との嵌合対象外の下外周面に後述の下流ゴム弁４の直立筒状部４ａが取り付けられた中実の直立棒状部，
３ｂは直立棒状部３ａからその下方に続く下端側開口で中空の樽状部，
３ｃはそれぞれ直立棒状部３ａの外周面上下方向および上端部分径方向に形成されて、当該下ピストンの上端面凹状部の直上に続く環凸状部２ａ（の内側空間域）および通路域２ｂに連通する、内容物通過用の複数の縦溝状部，
３ｄは直立棒状部３ａとその下の樽状部３ｂとのいわば境界部分であって、後述の下流ゴム弁４の環状下端面４ｅとの間の弁作用を呈する環状段部（弁座），
３ｅは樽状部３ｂの外周面下側部分に形成されて後述のコイルスプリング８の上端部分を受ける環凸状部，
３ｆは環状段部３ｄと環凸状部３ｅとの間の外周面部分であって、操作ボタン１が静止モード位置のときに後述の下流ゴム弁４のスカート部４ｇと対向離間状態に設定される環状上外周面，
をそれぞれ示している。
【００３１】
また、
４は上ピストン２および下ピストン３に取り付けられて、当該下ピストンの環状段部３ｄとの間で弁作用を呈する筒状で蓄圧タイプの下流ゴム弁，
４ａは上端側部分が上ピストン２の下端側大径環状部２ｄと下ピストン３の直立棒状部３ａとの間に挟持され、かつ、内周面全体が当該直立棒状部の外周面に保持された状態の直立筒状部，
４ｂは直立筒状部４ａの上端側部分であって、上ピストン２の下端側大径環状部２ｄと直立棒状部３ａの外周面との間にいわば挟持，固定され、操作ボタン１の押下げ時やその解除時にも変形しない被挟持部分，
４ｃは直立筒状部４ａの中側部分であって、当該直立筒状部から被挟持部分４ｂおよび後述の連続基部４ｄをいわば捨象した形の上下方向に伸縮可能な変形作用部分，
４ｄは直立筒状部４ａの下端側部分であって、後述の逆スカート部４ｆやスカート部４ｇへとつながる連続基部，
４ｅは直立筒状部４ａの下端面部分であって、下ピストン３の環状段部３ｄとの間の弁作用を呈する環状下端面（弁体），
４ｆは環状下端面４ｅの部分から外側上方に連続形成されてシリンダ５の内周面との間のシール作用を呈する逆スカート部，
４ｇは環状下端面４ｅの部分から外側下方に連続形成されてシリンダ５の内周面との間のシール作用を呈するスカート部，
をそれぞれ示している。
【００３２】
また、
５は下ピストン３，下流ゴム弁４や後述の上流ボール弁６，柱状部材７などを収容するシリンダ（ハウジング），
５ａは操作ボタン１の押下げ操作位置から静止モード位置への復帰作動時に収容空間域Ａの内容物が流入する下側開口部，
５ｂは下側開口部５ａの周面上部分であって上側ほど広くなった環状テーパ面（弁座），
５ｃは環状テーパ面５ｂに続く下環状段部，
５ｄは下環状段部５ｃの上方に形成されて、下ピストン３の環凸状部３ｅとの当接作用により、操作ボタン１の不用意な押下げ時などのいわば下動限界を設定する中環状段部，
５ｅは中環状段部５ｄの上方に形成されて、ポンプ機構の初期使用時、すなわち貯留空間域Ｂには、収容空間域Ａからの放出対象内容物がまだ流入せずにエアーが収容された状態での、操作ボタン１の押下げ操作にともなう下流ゴム弁４のスカート部４ｇの下端面との当接作用により、当該下流ゴム弁を開状態に強制変位させるための上環状段部，
５ｆは上環状段部５ｅの上側に続く大径内周面部，
５ｇは大径内周面部５ｆの上端から外方に延びる環状フランジ部，
をそれぞれ示している。
【００３３】
また、
６はシリンダ５の環状テーパ面５ｂとの間で弁作用を呈する上流ボール弁，
７は後述の貯留空間域Ｂの容量低減機能と上流ボール弁６の押え機能とを併せ備えた柱状部材（スペース調整作用部），
７ａは上述の容量低減機能を有する小径で中実または中空の円柱状部，
７ｂは円柱状部７ａの外周面の上下方向に形成された内容物通過用の凹状部分，
７ｃは円柱状部７ａの底面，
７ｄは円柱状部７ａの下側に続く大径部分で上述の上流ボール弁押え機能および容量低減機能を有する筒状部，
７ｅは筒状部７ｄの上面であって凹状部分７ｂに続く範囲が欠落した態様のＣ形平面形状の段部，
７ｆは筒状部７ｄの周方向に等間隔で形成された内容物通過用の三個の縦方向溝部，
７ｇは縦方向溝部７ｆのそれぞれから筒状部中央に突出する態様で形成された上流ボール弁押え用の弾性片部，
７ｈは縦方向溝部７ｆ同士の間の内周面，
７ｊは弾性片部７ｇの上面と同じ高さの下端部分からなって凹状部分７ｂに続く態様で筒状部７ｄの周方向に形成された周面開口部，
８は下ピストン３の環凸状部３ｅと柱状部材７の段部７ｅとの間に設けられて当該下ピストンおよび上ピストン２を上方向に付勢するためのコイルスプリング，
をそれぞれ示している。
【００３４】
また、
９は内容物を収容した容器本体，
９ａは外周面に螺子部分が形成された開口側筒状部，
９ｂは容器本体胴部の外周面と嵌合した鞘状の底蓋，
９ｃは底蓋９ｂの底面部分に形成された空気流入用の孔部，
９ｄは底蓋９ｂの底面部分に形成された内側環状起立部，
９ｅは後述の収容空間域Ａにおける内容物の減少（圧力低下）に応じて上方向に移動する可動底板，
９ｆは可動底板９ｅに形成されて上端部分が容器本体胴部の内周面に密接する可動底板逆スカート部，
９ｇは可動底板９ｅに形成されて下端部分が容器本体胴部の内周面に密接する可動底板スカート部，
９ｈは内側環状起立部９ｄに当接して可動底板９ｅの最下位置を特定するための底面段部，
をそれぞれ示している。
【００３５】
また、
10は内周面に螺子部分が形成されて容器本体９の開口側筒状部９ａと螺子係合するネジキャップ，
10ａは上ピストン２を案内する中央筒状部，
10ｂはシリンダ５の環状フランジ部５ｇと容器本体９の開口側筒状部９ａ（の端面部分）との間に挟まれた環状パッキン，
をそれぞれ示している。
【００３６】
また、
Ａは容器本体内部における内容物の収容空間域（可動底板９ｅから上流ボール弁６までの内部空間），
Ｂはシリンダ内部における内容物の貯留空間域（上流ボール弁６から下流ゴム弁４までの内部空間），
をそれぞれ示している。
【００３７】
ここで、操作ボタン１，上ピストン２，下ピストン３，シリンダ５，柱状部材７，容器本体９およびネジキャップ10などは、例えばポリプロピレン，ポリエチレン，ポリアセタール，ナイロン，ポリブチレンテレフタレートなどのプラスチック製のものである。
【００３８】
下流ゴム弁４は、ブチルゴム，クロロプレンゴム，ニトリルゴム，シリコーンゴムおよびフッ素ゴムなどの各種ゴム製のものである。
【００３９】
また、上流ボール弁６やコイルスプリング８などは金属製またはプラスチック製のものである。
【００４０】
なお、貯留空間域Ｂの容量低減機能と上流ボール弁６の押え機能とを併せ備えた柱状部材７は、コイルスプリング８で下方向に付勢されながらシリンダ５の下環状段部５ｃに保持されている。
【００４１】
図示のポンプ式製品はいわゆる「エアレスポンプ」を用いたものであり、内容物放出動作により収容空間域Ａの内容物が減ってそこでの圧力が低下するのに応じて、当該収容空間域の構成要素である可動底板９ｅが上方向に移動していく。
【００４２】
これは、可動底板９ｅが底蓋９ｂの孔部９ｃを介して外部空間と連通し、当該可動底板の下面部分が上方向への大気圧を受けるためである。
【００４３】
図示の内容物放出用ポンプ機構の基本的特徴は、
(31)貯留空間域Ｂの下流弁を、内側の直立筒状部４ａおよびその外側のシール作用部（逆スカート部４ｆ，スカート部４ｇ）を備えた蓄圧タイプの下流ゴム弁４で形成して、操作ボタン１の押下げ時（内容物放出操作時）における当該下流ゴム弁の縮み動作をもっぱら当該直立筒状部の変形作用部分４ｃで担当し、これにより下流ゴム弁の縮み動作にともなう当該シール作用部の変形を抑えて、当該下流ゴム弁とそれを案内するシリンダ５の内周面との間のシール作用の安定化を図り、
(32)柱状部材７を貯留空間域Ｂに設けることによりその実容量を減らして、操作ボタン１と一体の下ピストン３が押下げ操作後に静止モード位置に復帰するときの、当該貯留空間域の減圧比を高め、
(33)上流ボール弁６を、弁作用の相手である環状テーパ面５ｂの方へ弾性片部７ｇによって付勢する、
ことなどである。
【００４４】
図１および図２の、操作ボタン１が押圧されていない静止モードでは、
(41)上ピストン２および下ピストン３といわば一体化した下流ゴム弁４は、その逆スカート部４ｆがネジキャップ10の中央筒状部10ａに係止した状態に保持され、
(42)この保持状態の下流ゴム弁４の全体は、上下方向への実質的な弾性伸縮を生じていない初期状態に設定され、
(43)下流ゴム弁４の環状下端面４ｅは下ピストン３の環状段部３ｄに密接し、また上流ボール弁６はシリンダ５の環状テーパ面５ｂに密接し、
(44)この下流ゴム弁４および上流ボール弁６それぞれの密接作用により、収容空間域Ａおよび貯留空間域Ｂはともに閉空間になっている。
【００４５】
なお、上流ボール弁６はその横方向部分が筒状部７ｄの内周面７ｈに保持され、かつ三個の等間隔の弾性片部７ｇで環状テーパ面５ｂの方に押えられている。
【００４６】
このように上流ボール弁６が弾性片部７ｇにより押さえ込まれているため、ポンプ式製品を倒立状態に設定しても当該上流ボール弁は環状テーパ面５ｂとの密接状態に保持される。
【００４７】
操作ボタン１を図１，図２の下方向に押し下げると、図３および図４に示すように、上ピストン２，下ピストン３およびこれらのピストンと一体の下流ゴム弁４が当該操作ボタンとともにコイルスプリング８の弾性付勢力に抗しながら下方に移動する。
【００４８】
この下ピストン３の移動にともない、貯留空間域Ｂの容積が減少してその中の内容物圧力を増加させる。
【００４９】
貯留空間域Ｂの内容物の圧力増加にともない下流ゴム弁４の全体が上方向への力を受ける。そして当該内容物の圧力が所定値まで大きくなると、下流ゴム弁４の直立筒状部４ａの一部である変形作用部分４ｃがもっぱら上下方向に縮むように変形する。
【００５０】
このとき、直立筒状部４ａの外側に連続形成された逆スカート部４ｆおよびスカート部４ｇはほとんど変形しない。そのため操作ボタン１を押し下げる内容物放出操作時の下流ゴム弁４の移動時においても、当該下流ゴム弁とシリンダ５の内周面との間のシール作用が低下することはない。
【００５１】
この変形作用部分４ｃの縮み変形により、下流ゴム弁４の環状下端面４ｅが下ピストン３の環状段部３ｄから離間する。
【００５２】
すなわち貯留空間域Ｂの下流弁（下流ゴム弁４および環状段部３ｄ）がそれまでの閉状態から開状態に移行する。なお、貯留空間域Ｂの上流弁（上流ボール弁６および環状テーパ面５ｂ）は閉状態のままである。
【００５３】
その結果、貯留空間域Ｂに収容済みの内容物は、当該下流弁から図３，図４の矢印で示す「縦溝状部３ｃ−下ピストン３の上端面凹状部−環凸状部２ａの内側空間域−上ピストン２の通路域２ｂ−操作ボタン１の通路部１ａ−出力孔部１ｂ」の経路により、外部空間に放出される。
【００５４】
利用者が操作ボタン１の押下げ操作を止めると、図５に示すように、
(51)コイルスプリング８の弾性作用に基づいて、操作ボタン１，上ピストン２および下ピストン３の一体物が静止モード位置へ復帰する動作に移行し、
(52)この下ピストン３の復帰にともなう貯留空間域Ｂの容積増加によりその中の内容物圧力が減少して、下流ゴム弁４も、その変形作用部分４ｃがそれまでの縮み状態から初期状態（静止モードの形状）に復帰し、
(53)この変形作用部分４ｃの形状復帰によって貯留空間域Ｂの下流弁（下流ゴム弁４および環状段部３ｄ）がそれまでの開状態から閉状態に変化し、
(54)かつ、貯留空間域Ｂの内容物圧力の減少に基づく収容空間域Ａとの圧力差の発生などにより、上流弁（上流ボール弁６および環状テーパ面５ｂ）はそれまでの閉状態から開状態に、当該上流ボール弁が弾性片部７ｇの下方への弾性力に抗しながら上動する形でシフトして、収容空間域Ａの内容物が開状態の当該上流弁を経て貯留空間域Ｂへ流入し、
(55)この内容物流入に基づく貯留空間域Ｂの圧力増加により、それまで上記(54)の圧力差のため上動していた上流ボール弁６が、弾性片部７ｇの下方への弾性作用で下動してシリンダ５の環状テーパ面５ｂと密接する。すなわち貯留空間域Ｂの上流弁は静止モードの閉状態に復帰する。
【００５５】
上記(54)において貯留空間域Ｂへ流入した内容物が、次回の操作ボタン１の押下げ操作時に出力孔部１ｂから外部空間域に放出される。
【００５６】
なお、上記(54)を補足すると次のようになる。
上ピストン２および下ピストン３の復帰動作時の貯留空間域Ｂにおける内容物圧力の減少にともなって、上流ボール弁６への下方向合力（シリンダ５の貯留空間域Ｂからの下方向内容物圧力，上流ボール弁６の自重や三個の弾性片部７ｇの弾性付勢力など）が、当該上流ボール弁に対する収容空間域Ａからの上方向内容物圧力よりも小さくなる。
これにより上流ボール弁６は、弾性片部７ｇの付勢力に抗しながら上方向に少し移動する（図５参照）。
【００５７】
このピストン復帰時の貯留空間域Ｂの減圧比は柱状部材７の存在容積分だけ（当該柱状部材を設けない場合よりも）高まるので、収容空間域Ａの内容物に対して当該貯留空間域への強い吸上げ力が作用する。
【００５８】
この強い吸上げ力により、容器本体９の収容空間域Ａの内容物は、図５の矢印で示す「下側開口部５ａ−縦方向溝部７ｆ−底面７ｃと弾性片部７ｇとの間の空間域（−周面開口部７ｊ）−凹状部分７ｂ」などの経路により、シリンダ５の貯留空間域Ｂに流入する。
【００５９】
この内容物流入により、上流ボール弁６への上述の下方向合力が上述の上方向圧力を超えた段階で、当該上流ボール弁が下方に確実に移動して環状テーパ面５ｂと密接し、ポンプ機構は図１の静止モードに復帰する。なお、収容空間域Ａの内部圧力の減少に応じて可動底板９ｅが大気圧の作用により上動するのは先に述べたとおりである。
【００６０】
なお、図４の内容物放出終期状態では、下流ゴム弁４のスカート部４ｇの下端面部分がシリンダ５の上環状段部５ｅに当接している。
【００６１】
このスカート部４ｇと上環状段部５ｅとの当接状態を設定するのは、ポンプ式製品を最初に使うときの貯留空間域Ｂのエアー抜き（プライミング）のためである。
【００６２】
すなわち、ポンプ式製品の未使用段階のとき貯留空間域Ｂにはもっぱらエアーが入っている。このエアー貯留状態で操作ボタン１を押し下げてもエアー容積が変化するにすぎず、下流ゴム弁４を上下方向に縮めて開放状態に移行させるまでのエアー圧力の増加は生じにくい。
【００６３】
そこで、利用者が、未使用段階のポンプ式製品の操作ボタン１を例えば図４の対応位置まで押し下げたときに、下流ゴム弁４のスカート部４ｇがシリンダ５の上環状段部５ｅに当接することにより、その変形作用部分４ｃを上方向にいわば強制的に縮めるようにしている。
【００６４】
この変形作用部分４ｃが受ける強制的な上方向への縮み作用により、直立筒状部４ａの環状下端面４ｅは下ピストン３の環状段部３ｄから離間する。
【００６５】
貯留空間域Ｂに最初入っていたエアーは、この環状下端面４ｅと環状段部３ｄとの離間部分から通路域２ｂ，通路部１ａおよび出力孔部１ｂへと抜けていく。
【００６６】
そして利用者が操作ボタン１の押下げ操作を解除すると、下ピストン３などがコイルスプリング８の弾性力により上動して、貯留空間域Ｂの圧力が減少する。
【００６７】
この貯留空間域Ｂの圧力減少にともない、もともと収容空間域Ａから上方向への内容物圧力を受けていた上流ボール弁６がシリンダ５の環状テーパ面５ｂから離間する。
【００６８】
この離間により、容器本体９の収容空間域Ａの内容物がシリンダ５の貯留空間域Ｂに流入する（図５参照）。これにより図示のポンプ機構は図１の静止モードに設定される。
【００６９】
図６で明示されるように、柱状部材７は、その全体でシリンダ内部の貯留空間域Ｂの容量を低減する機能と、その筒状部７ｄの弾性片部７ｇで上流ボール弁６を下方向に付勢するとともに当該筒状部の飛び飛びの内周面７ｈで上流ボール弁６の左右方向（当該筒状部の径方向）への移動を規制する機能と、を併せ備えた一体成形の単一部材である。
【００７０】
上流ボール弁６が弾性片部７ｇの付勢力に抗しながら少し移動して当該ボール弁が開くと（図５参照）、容器本体内部の収容空間域Ａの内容物は三箇所の縦方向溝部７ｆなどを経てシリンダ内部に流入する。
【００７１】
なお、周面開口部７ｊは、円柱状部７ａの底面７ｃと三箇所の縦方向溝部７ｆとの間の空間域を設定するために用いた金型のいわば抜き口といえるが、縦方向溝部７ｆなどから入ってきた内容物の通路域としても作用する。
【００７２】
容器本体９に取り付ける前のいわばポンプユニット（上ピストン２，下ピストン３，下流ゴム弁４，シリンダ５，上流ボール弁６，柱状部材７，コイルスプリング８，ネジキャップ10）の組立手順は、例えば次のようになる。
【００７３】
(61)下ピストン３の直立棒状部３ａに下流ゴム弁４を通してから、上ピストン２に取り付けてピストンユニットとし、
(62)シリンダ５の上方開口部から、環状テーパ面５ｂに上流ボール弁６を置き、これを押さえるように柱状部材７を取り付け、
(63)次に、このシリンダ５の上方開口部から、コイルスプリング８および当該ピストンユニットを順に差し込む、
(64)次に、中央筒状部10ａに上ピストン２を通して、ネジキャップ10をシリンダ５に取り付け、
(65)次に、シリンダ５の下方から環状パッキン10ｂを環状フランジ部５ｇに当接するように取り付ける。
【００７４】
本発明は図示の機構に限定されないのは勿論であり、例えば、
(71)柱状部材７を図示以外の任意の形状として貯留空間域の任意の部分に設ける、
(72)操作ボタン１の代わりに周知のトリガタイプの操作ボタン（例えば特開２００３−１７０９７８号公報参照）を用いる、
(73)上流ボール弁６を例えば非ボール形状で柱状部材７（弾性片部７ｇ）との一体成形部材とする、
(74)柱状部材７として、別々に製作した円柱状部７ａおよび筒状部７ｄの一体化部材を用いる、
(75)弾性片部７ｇを内周面７ｈに形成する、
(76)縦方向溝部７ｆ，弾性片部７ｇ，内周面７ｈそれぞれの個数を任意に設定する、
(77)繰り返し述べたように、可動底板９ｅおよび孔部９ｃの代わりに周知の内容物吸上げパイプおよび収容空間域Ａへの外気流入用孔部（例えば特開平１０−１２７０５１号公報参照）を用いる、
ようにしてもよい。
【００７５】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００７６】
容器本体に収容される内容物としては、液状，クリーム状，ゲル状など種々の形態のものを用いる。内容物に配合される成分は例えば、粉状物，油成分，アルコール類，界面活性剤，高分子化合物，各用途に応じた有効成分，水などである。
【００７７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００７８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００７９】
アルコール類としては、エタノールなどの１価の低級アルコール，ラウリルアルコールなどの１価の高級アルコール，エチレングリコール，グリセリン，1,3−ブチレングリコールなどの多価アルコールなどを用いる。
【００８０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００８１】
高分子化合物としては、メチルセルロース，ゼラチン，デンプン，カゼイン，ヒドロキシエチルセルロース，キサンタンガム，カルボキシビニルポリマーなどを用いる。
【００８２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００８３】
さらに、上記内容物以外の、懸濁剤，紫外線吸収剤，乳化剤，保湿剤，酸化防止剤、金属イオン封鎖剤なども用いることができる。
【符号の説明】
【００８４】
１：操作ボタン
１ａ：内容物の通路部
１ｂ：内容物放出用の出力孔部
２：上ピストン（ステム）
２ａ：環凸状部
２ｂ：内容物の通路域
２ｃ：下ピストン嵌合用の下筒状部
２ｄ：下端側大径環状部
２ｅ：天井段部
３：下ピストン（ステム）
３ａ：直立棒状部
３ｂ：樽状部
３ｃ：複数の縦溝状部
３ｄ：環状段部（弁座）
３ｅ：環凸状部
３ｆ：環状上外周面
４：蓄圧タイプの下流ゴム弁
４ａ：直立筒状部
４ｂ：被挟持部分
４ｃ：変形作用部分
４ｄ：連続基部
４ｅ：環状下端面（弁体）
４ｆ：逆スカート部（シール作用部）
４ｇ：スカート部（シール作用部）
５：シリンダ（ハウジング）
５ａ：内容物が流入する下側開口部
５ｂ：環状テーパ面（弁座）
５ｃ：下環状段部
５ｄ：中環状段部
５ｅ：上環状段部
５ｆ：大径内周面部
５ｇ：環状フランジ部
６：上流ボール弁
７：柱状部材（スペース調整作用部）
７ａ：円柱状部
７ｂ：内容物通過用の凹状部分
７ｃ：円柱状部の底面
７ｄ：筒状部
７ｅ：段部
７ｆ：三個の縦方向溝部
７ｇ：弾性片部
７ｈ：縦方向溝部同士の間の内周面
７ｊ：周面開口部
８：コイルスプリング
９：容器本体
９ａ：開口側筒状部
９ｂ：鞘状の底蓋
９ｃ：空気流入用の孔部
９ｄ：内側環状起立部
９ｅ：可動底板
９ｆ：可動底板逆スカート部
９ｇ：可動底板スカート部
９ｈ：底面段部
10：ネジキャップ
10ａ：中央筒状部
10ｂ：環状パッキン
Ａ：容器本体内部における内容物の収容空間域（可動底板９ｅから上流ボール弁６までの内部空間）
Ｂはシリンダ内部における内容物の貯留空間域（上流ボール弁６から下流ゴム弁４までの内部空間）
【図１】
2014221664.tif 000003
【図２】
2014221664.tif 000004
【図３】
2014221664.tif 000005
【図４】
2014221664.tif 000006
【図５】
2014221664.tif 000007
【図６】
2014221664.tif 000008